(57)【要約】【課題】少ない洗浄水量で良好に固形物を押し出す力を発揮して、排水立管までの最適な搬送性能が確保できる大便器連立ユニットの排水システムを提供する。【解決手段】壁排水式大便器１Ａ，１Ｂ，１Ｃを複数連立させ、各大便器１Ａ，１Ｂ，１Ｃからの排水を１本の横引き配管２を通し排水立管３へ排水する排水システムにおいて、横引き配管２の管径を７５ｍｍに設定するとともに、上流側の大便器１Ａから排水立管３に至る横引き配管２の勾配を１／７５を超える急勾配に設定して構成する。【選択図】図１
2007162359.tif 000002
【特許請求の範囲】
【請求項１】
壁排水式の大便器を複数連立させ、各大便器からの排水を１本の横引き配管を通し排水立管へ排水する排水システムにおいて、
前記横引き配管の管径を７５ｍｍに設定するとともに、最上流側の大便器から前記排水立管に至る前記横引き配管の勾配を１／７５を超える急勾配に設定したことを特徴とする大便器連立ユニットの排水システム。
【請求項２】
前記横引き配管の勾配を１／５０に設定したことを特徴とする請求項１に記載の大便器連立ユニットの排水システム。
【請求項３】
前記横引き配管中の曲り部分に９０°大曲りエルボを用いたことを特徴とする請求項１または請求項２に記載の大便器連立ユニットの排水システム。
【請求項４】
前記大便器はフラッシュバルブを介し供給された水で汚物を排出する大便器であって、該大便器へ供給される水の供給瞬間流量が９０〜１１０リットル／分に設定されていることを特徴とする請求項１または請求項２または請求項３に記載の大便器連立ユニットの排水システム。
【発明の詳細な説明】
【技術分野】
【０００１】
本発明は、壁排水式の大便器を複数連立させたユニットにおける排水システムに関するものである。
【背景技術】
【０００２】
従来、公共トイレ等に設けられている複数の大便器を連立した大便器連立ユニットの横引き配管は、管径が１００ｍｍで、横引き配管の勾配は１／１００が奨励されているが、節水のために、例えば、特許文献１に開示されているように、横引き配管の管径を１００ｍｍよりも小径としたものが提案されている。
【特許文献１】特開２００３−９６８９２号公報
【発明の開示】
【発明が解決しようとする課題】
【０００３】
上記特許文献１に開示されている構成は、ロータンクから給水する形式のものであり、また大便器は１個設けられている構成であり、このような構成は、公共トイレ等の複数の大便器を連立したユニットの排水システムとしては適用が困難であり、大便器連立ユニットにおいて横引き配管の管径を小さくすると、汚物により管内閉塞等のトラブルが発生する虞があるという問題点があった。
【課題を解決するための手段】
【０００４】
本発明は上記従来の問題点に鑑み案出したものであって、横引き配管内の管内閉塞等のトラブルがなく、しかも節水効果が得られる大便器連立ユニットの排水システムを提供するものであり、その請求項１は、壁排水式の大便器を複数連立させ、各大便器からの排水を１本の横引き配管を通し排水立管へ排水する排水システムにおいて、前記横引き配管の管径を７５ｍｍに設定するとともに、最上流側の大便器から前記排水立管に至る前記横引き配管の勾配を１／７５を超える急勾配に設定したことである。
【０００５】
また請求項２は、前記横引き配管の勾配を、１／５０に設定したことである。
【０００６】
また請求項３は、前記横引き配管中の曲り部分に９０°大曲りエルボを用いたことである。
【０００７】
また請求項４は、前記大便器はフラッシュバルブを介し供給された水で汚物を排出する大便器であって、該大便器へ供給される水の供給瞬間流量が９０〜１１０リットル／分に設定されていることである。
【発明の効果】
【０００８】
本発明は、壁排水式の大便器を複数連立させ、各大便器からの排水を１本の横引き配管を通し排水立管へ排水する排水システムにおいて、前記横引き配管の管径を７５ｍｍに設定するとともに、最上流側の大便器から前記排水立管に至る前記横引き配管の勾配を１／７５を超える急勾配に設定したことにより、各大便器から排出される汚物で横引き配管内が閉塞されることがなく、汚物等の固形物を良好に排水立管まで搬送することができ、少ない洗浄水量で最適な搬送性能が発揮される効果を有する。
【０００９】
また、前記横引き配管の勾配を、１／５０に設定したことにより、６リットルの水量で固形物を排水立管まで確実に搬送することができ、横引き配管内の管内閉塞が生ずることもなく、良好な節水効果が得られるものとなる。
【００１０】
また、前記横引き配管中の曲り部分に９０°大曲りエルボを用いたことにより、エルボの部分で汚物等が詰まることがなく、良好に汚物を排水立管まで搬送することができるものとなる。
なお、一般に、管径が大きくなると、エルボの曲率半径は大きくなる。また、エルボには、曲率半径の比較的小さいショートエルボ（９０°エルボ）と、曲率半径の比較的大きいロングエルボ（９０°大曲りエルボ）がある。
本発明では、横引き配管の管径を７５ｍｍとしたため、ロングエルボを用いた場合においても、管径が１００ｍｍで、ショートエルボを用いた場合と比較して、略同等程度の配管スペースで設置が可能となり、略同等程度の配管設計上の利便性が確保できる。
【００１１】
また、前記大便器はフラッシュバルブを介し供給された水で汚物を排出する大便器であって、該大便器へ供給される水の供給瞬間流量が９０〜１１０リットル／分に設定されていることにより、少ない洗浄水量で良好に汚物等の固形物を押し出し、排水立管まで搬送することができるものとなる。なお、大便器へ供給される水の供給瞬間流量が９０リットル／分未満であると、汚物等の固形物を押し出す力が弱く、良好に排水ができない。また、大便器へ供給される水の供給瞬間流量が１１０リットル／分を超えると、大便器から排水が排出されにくくなったり、大便器内で飛沫が生じる等の不具合が生じる。
【実施例】
【００１２】
以下、本発明の実施例を図面に基づいて説明する。
図１は、大便器連立ユニットの排水システムの配置構成図であり、それぞれフラッシュバルブを備えた壁排水式の３個の上流大便器１Ａ，中流大便器１Ｂ，下流大便器１Ｃが、横方向の間隔を９００ｍｍとして３連立状態で壁面にそれぞれ設置され、壁面を構成するユニット内には横引き配管２が横方向に配管され、この横引き配管２の本管部２ａに、それぞれ継ぎ手１ａ，１ｂ，１ｃを介して前記上流大便器１Ａ，中流大便器１Ｂ，下流大便器１Ｃが接続されている。
【００１３】
なお、横引き配管２の本管部２ａの下流側には、９０°大曲りエルボ２ｂを介して連結部分２ｃが約９０°折曲して連結されており、連結部分２ｃの下流端で更に９０°大曲りエルボ２ｄが接続され、この９０°大曲りエルボ２ｄの下流端は、縦方向に立設された排水立管３に接続されている。
なお、横引き配管２の本管部２ａの継ぎ手１ａと１ｂ間には、空気を入れる通気口Ｅ１が設けられている。また、継ぎ手１ｃの下流側はゴムジョイントＧＪで本管部２ａに接続されている。
【００１４】
本例においては、横引き配管２（本管部２ａ，連結部分２ｃ，９０°大曲りエルボ２ｂ，２ｄ）は、その管径（呼び径）が７５ｍｍに設定されており、また、上流大便器１Ａから排水立管３に至る横引き配管２の長さは４．５ｍとなっており、この間の勾配は、１／５０に設定されている。
なお、排水立管３の管径は１００〜１５０ｍｍであり、横引き配管２の曲り部分を形成する９０°大曲りエルボ２ｂ，２ｄは、それぞれＪＩＳＫ６７３９で規定されている排水用硬質塩ビ管継手で構成されている。
【００１５】
この図１のように設定された大便器連立ユニットの搬送性能は、図２に示す搬送試験結果で確認されている。
即ち、横引き配管２の管径を７５ｍｍに設定し、勾配を１／５０に設定した排水システムを構築して発明者らは搬送試験を行ったものであり、その試験条件として、フラッシュバルブから各大便器１Ａ，１Ｂ，１Ｃに供給される洗浄水の瞬間流量を９０リットル／分に設定して、測定ポイントＰ１〜Ｐ６の部位で紙筒状代用物の到達する数を測定したものである。
なお、汚物等の固形物の代用物として使用された紙筒状代用物は、ＪＩＳＰ４５０１に規定されたトイレットペーパー１ｍを八つ折りにして、これを６枚重ねて筒状にしたものである。
【００１６】
なお、搬送試験においては、通気口Ｅ１から横引き配管２内に通気する条件で搬送試験を行っており、上流大便器１Ａから６リットルの洗浄水量で紙筒状代用物を排出させた場合、および中流大便器１Ｂから６リットルの洗浄水量で紙筒状代用物を排出させた場合、および下流大便器１Ｃから６リットルの洗浄水量で紙筒状代用物を排出させた場合の何れにおいても、各測定ポイントＰ１，Ｐ２，Ｐ３，Ｐ４，Ｐ５，Ｐ６において、紙筒状代用物は確認されず、全ての紙筒状代用物が排水立管３に到達した結果が得られており、搬送試験では６リットルの洗浄水量で排水立管３までの最適な搬送性能を発揮することが確認されている。
【００１７】
なお、発明者らは、比較のために図３に示すように、横引き配管２の管径が１００ｍｍで、勾配が１／１００の現行排水システムでの搬送試験も行っており、図３に示すように、洗浄水量８リットルで紙筒状代用物は良好に排水立管３まで到達していることが確認されている。図３では、下流大便器１Ｃの継ぎ手１ａ付近の測定ポイントＰ３で、僅かに紙筒状代用物の残留が見られる。
【００１８】
次に、発明者らは図４のように、横引き配管の管径１００ｍｍで勾配１／１００の現行排水システムで、６リットルの洗浄水量を用いて搬送試験を行っているが、この場合は、９０°大曲りエルボ２ｄの部分の測定ポイントＰ６で大量の紙筒状代用物が確認されており、良好に排水立管３まで搬送されていない結果となっており、６リットルの洗浄水量では最適な搬送性能は発揮できない結果が得られている。
【００１９】
次に、発明者らは図５に示すように、横引き配管２の管径を７５ｍｍに設定し、横引き配管２の勾配を１／７５に設定して、６リットルの洗浄水量で搬送試験を行っており、この図５の場合は、９０°大曲りエルボ２ｄの付近の測定ポイントＰ６で紙筒状代用物が僅かに残留していることが確認されている。
【００２０】
このように、発明者らは搬送試験を繰り返した結果、横引き配管２の管径が７５ｍｍで、その勾配が１／５０の場合に、洗浄水量６リットルで、図２に示す最適な搬送性能が発揮されることを見い出したものであり、このように設定することで、従来よりも少ない６リットルの洗浄水量で十分な排水立管３までの搬送性能が得られて、横引き配管２内に汚物が詰まり管内閉塞が発生することがないことを検証したものである。
【００２１】
なお、発明者らは、上流大便器１Ａと中流大便器１Ｂのそれぞれのフラッシュバルブを同時に作動させて、２つの便器１Ａ，１Ｂから同時に排水させて搬送性能を確認したが、この場合は、排水水量が２倍となっているため、搬送性能は図２に示す結果と同様なものとなった。
【００２２】
なお、発明者らは、横引き配管２内の管内水位変動特性について、図６，図７，図８に示すような試験結果を得ている。
即ち、図６では、横引き配管２の管径が１００ｍｍで、その勾配が１／１００の場合に、８リットルの洗浄水量で上流大便器１Ａから排水させた場合であり、この図６の管内水位変動特性では、比較的長い時間、横引き配管２内で水位を確保して、粘り強く汚物等を流し切ることができるものであると言える。
【００２３】
また、図７では、横引き配管２の管径が１００ｍｍで、その勾配が１／１００の場合に、洗浄水量６リットルで上流大便器１Ａから排水させた場合であり、この図７の管内水位変動特性では、洗浄水量を６リットルと少なくした分、横引き配管２内での後半の水位が確保できず、十分に汚物等を流し切ることができないものであると言える。
【００２４】
図８では、横引き配管２の管径を７５ｍｍに設定し、その勾配を１／５０とした場合に、洗浄水量６リットルで上流大便器１Ａから排水させた場合であり、この図８の管内水位変動特性では、横引き配管２の管径が狭く急勾配であるため、排水流の速度が速く、高い水位に乗せて一気に汚物等を流し切ることができるものであると言える。
なお、中流大便器１Ｂ或いは下流大便器１Ｃから排水させた場合の何れにおいても、図６，図７，図８とほぼ同様な結果となっており、横引き配管２の管径を７５ｍｍに設定し、その勾配を１／５０とした場合に、洗浄水量６リットルで効率的な搬送が可能となる結果が確認されている。
【００２５】
このように、横引き配管２の管径を７５ｍｍに設定し、横引き配管２の勾配を１／７５を超える急勾配、好ましくは１／５０に設定することで、６リットルという少ない洗浄水量で固形物を押し出す力を確保して、排水立管３までの最適な搬送性能を発揮させることができるものである。
なお、フラッシュバルブから各大便器１Ａ，１Ｂ，１Ｃへ流す洗浄水の瞬間流量は、９０〜１１０リットル／分が好ましいことを発明者らは確認している。即ち、大便器へ供給される水の供給瞬間流量が９０リットル／分未満であると、汚物等の固形物を押し出す力が弱く良好に排水できない。また、大便器へ供給される水の供給瞬間流量が１１０リットル／分を超えると、大便器から排水が排出されにくくなったり、大便器内で飛沫が生じる等の不具合が生じる。
【００２６】
本例では、大便器を３個連立させた場合を例示しているが、３個の場合に限らず複数の大便器を連立させた場合でも、このような横引き配管の管径および勾配に設定して、良好な搬送性能が得られるものである。
【図面の簡単な説明】
【００２７】
【図１】大便器連立ユニットの排水システムの概略配置構成図である。
【図２】横引き配管の管径が７５ｍｍで勾配が１／５０の場合に、洗浄水量６リットルで排水した場合の搬送試験結果を示す測定グラフである。
【図３】横引き配管の管径が１００ｍｍで勾配が１／１００の場合に、洗浄水量８リットルで排水した場合の搬送試験結果を示す測定グラフである。
【図４】横引き配管の管径が１００ｍｍで勾配が１／１００の場合に、洗浄水量６リットルで排水した場合の搬送試験結果を示す測定グラフである。
【図５】横引き配管の管径が７５ｍｍで勾配が１／７５の場合に、洗浄水量６リットルで排水した場合の搬送試験結果を示す測定グラフである。
【図６】管径が１００ｍｍで勾配が１／１００の場合に、洗浄水量８リットルで排水した場合の横引き配管の管内水位変動特性試験のグラフである。
【図７】管径が１００ｍｍで勾配が１／１００の場合に、洗浄水量６リットルで排水した場合の横引き配管の管内水位変動特性試験のグラフである。
【図８】管径が７５ｍｍで勾配が１／５０の場合に、洗浄水量６リットルで排水した場合の横引き配管の管内水位変動特性試験のグラフである。
【符号の説明】
【００２８】
１Ａ  上流大便器
１Ｂ  中流大便器
１Ｃ  下流大便器
１ａ，１ｂ，１ｃ  継ぎ手
２  横引き配管
２ａ  本管部
２ｃ  連結部分
２ｂ，２ｄ  ９０°大曲りエルボ
３  排水立管
Ｅ１  通気口
ＧＪ  ゴムジョイント
【図１】
2007162359.tif 000003
【図２】
2007162359.tif 000004
【図３】
2007162359.tif 000005
【図４】
2007162359.tif 000006
【図５】
2007162359.tif 000007
【図６】
2007162359.tif 000008
【図７】
2007162359.tif 000009
【図８】
2007162359.tif 000010